(57)【要約】      （修正有）【課題】ハウス内に放蜂されたミツバチが開閉窓の側端部からハウス外へ飛び出すのを防止するために、巻き上げフィルムを備える開閉窓が設けられた農業、園芸用ハウスを提供する。【解決手段】ハウス体１の側面４に設けた開閉窓５を覆う防虫ネット１０を有し、巻き上げフィルム７の巻き上げ操作用棒体８の端部８ａを防虫ネット１０の側端より突出させ、開閉窓５を備える側面４の端部領域から隣接する側面１２の端部領域の内側に固定張りフィルム１３を張設させてハウスを構成する。さらに、側面４の端部領域に、開閉自在なファスナー１６の部分を境に折曲した補助のネット体１５を、ファスナー１６が防虫ネット１０の側端に沿い、ネット体の一方側半部が固定張りフィルム１３と巻き上げフィルム７との間に挟まれ、他方側半部が防虫ネット１０の外側に重ねられた状態に張設し、巻き上げ操作用棒体８の端部をファスナー１６の部分で外方に突出させる。【選択図】図１
0003168674.tif 000002
【実用新案登録請求の範囲】
【請求項１】
骨組構造を外装フィルムで覆って構成されたハウス体の側面に、開閉用の巻き上げフィルムを備える開閉窓が設けられるとともに、該開閉窓の巻き上げフイルムより外側に該開閉窓を覆う防虫ネットが張設され、前記巻き上げフィルムの巻き上げ操作用棒体の端部が前記防虫ネットの側端より突出せしめられ、さらに前記開閉窓を備える側面の端部領域の内側から、これに隣接する側面の端部領域の内側に連続して固定張りフィルムが張設されてなる農業、園芸用ハウスにおいて、
開閉窓を備える側面の端部領域には、幅方向の中央領域部分に上下方向に延びる開閉自在なファスナーが設けられ、かつ該ファスナー部分を境に折曲された補助のネット体が、前記ファスナー部分が防虫ネットの側端に沿って位置し、かつ該ネット体の一方側半部が前記固定張りフィルムと巻き上げフィルムとの間に挟まれ、他方側半部が前記防虫ネットの外側に重ねられて張設されており、前記巻き上げ操作用棒体の端部が前記ファスナーの部分で外方に突出せしめられてなることを特徴とする農業、園芸用ハウス。
【請求項２】
前記ネット体のファスナーが、開閉方向を逆方向にした二つのスライダーにより開閉自在に設けられており、両スライダー間に前記巻き上げ操作用棒体を位置させて、両スライダーを近接させることにより棒体貫通部分以外を閉状態に保持できるように構成されてなる請求項１に記載の農業、園芸用ハウス。
【請求項３】
前記ファスナーの二つの両スライダーが、前記巻き上げ操作用棒体の貫通部分を挟んで連結されており、前記巻き上げ操作用棒体の上下動に伴って両スライダーが上下動するように設けられてなる請求項２に記載の農業、園芸用ハウス。
【請求項４】
前記ネット体の一方側半部の側端が、前記巻き上げフィルムより内側で骨組材に沿って上下方向に配された固定部材に固定されてなる請求項１〜３のいずれか１項に記載の農業、園芸用ハウス。
【請求項５】
前記ネット体のファスナーは、ネット体に切離形成された開口縁部に取付用布帛を介して取着されてなり、この取付用布帛が防虫ネットの側端部をハウス体の骨組構造の骨組材に沿って設けられてなる請求項１〜４のいずれか１項に記載の農業、園芸用ハウス。
【請求項６】
開閉窓がハウス体の長手方向側面に設けられ、固定張りフィルムが長手方向の側面の端部領域の内側から妻側の側面の端部領域の内側に連続して張設されている請求項１〜５のいずれか１項に記載の農業、園芸用ハウス。
【考案の詳細な説明】
【技術分野】
【０００１】
本考案は、各種農産物の栽培のための農業用ハウスや園芸用ハウス等の各種の農業、園芸用ハウスに関するものである。
【背景技術】
【０００２】
農業用ハウスや園芸用ハウス（一般にはビニールハウス）は、パイプ材等よりなる骨組構造を各種合成樹脂フィルムよりなる外装フィルムで覆ってハウス体を構成してなるものであるが、ハウス内の温度や湿度を調整するための換気構造として、ハウス体の長手方向側面等に全長にわたって開閉窓が設けられていることが多い。
【０００３】
かかるハウスの開閉窓は、図５のようにハウス体１０１の肩部に設けられた固定部材１０６により固定して垂設した巻き上げフィルム１０７の下端をパイプ材等の巻き上げ操作用棒体１０８に連結して巻きつけておき、ハウス体１０１の長手方向側面の両端より突出した棒体端部１０８ａに取設したハンドル等の操作部材１０９により手動で、あるいは前記端部に連結した電動手段により回転操作して、巻き上げフィルム１０７を巻き上げ、あるいは巻き下げることにより、開閉窓１０５を開閉するものである。
【０００４】
通常、図５のように、巻き上げフィルム１０７の外側に、開閉窓１０５を開いたときの害虫等の侵入を防止するための防虫ネット１１０が該開閉窓１０５の全体を覆うように張設されている。しかし、前記巻き上げ操作用棒体１０８が前記防虫ネット１１０の内側にあって、その端部１０８ａが防虫ネット１１０の側端より突出しており、該棒体１０８が巻き上げおよび巻き下ろし操作によって上下動するため、前記防虫ネット１１０は、上下部がハウス体１０１の上下の固定部材１０６，１１１等に固定されているだけで、側端部は固定されておらず開放状態である。
【０００５】
このため、ハウス体１０１の長手方向側面と妻側の側面とが交差するハウスコーナー部の隙間をなくして防虫効果等を高める目的で、ハウスコーナー部の内側には、図６のように長手方向側面の端部領域から、これに隣接する妻側の側面の端部領域の内側に連続して固定張りフィルム１１３が張設されており、該固定張りフイルム１１３と外側の防虫ネット１１０との間に前記巻き上げフィルム１０７が設けられているが、この場合でも、固定張りフィルム１１３と外側の防虫ネット１１０とが接した状態にならずに両者間に隙間Ｓを生じることがあり、特に前記巻き上げ操作用棒体１０８の付近で前記隙間が大きくなり、防虫効果は充分に満足できないものである。
【０００６】
また、農業用や園芸用の各種植物の授粉のために、ミツバチ（主にトラマルハナバチ等のマルハナバチ類）がハウス内に放蜂されることが多いが、かかるミツバチがハウス外に飛び出すのを防止する必要がある。特に、近年は、ハウス内の授粉のための放蜂用に、比較的大型のマルハナバチ（セイヨウオオマルハナバチ等）が西洋から輸入されて使用され出しており、かかるミツバチが、ハウス外に飛び出して野生化すると、従来より多く使用されているトラマルハナバチ等の在来のマルハナバチ類が減少することになって、野生植物の保全等の環境に悪影響を及ぼす虞がある。そのため、ハウス内で使用されるミツバチがハウス外に飛び出さないようにすること求められている。
【０００７】
しかしながら、前記のような従来のハウス構造では、内側の前記固定張りフィルム１１３と外側の防虫ネット１１０との間に隙間Ｓが生じることになるため、仮に、ハウス内に放蜂されたミツバチが、前記固定張りフィルム１１３と外側の防虫ネット１１０との間の隙間に入り込んだ場合、当該ミツバチが前記隙間を通って防虫ネット１１０の側端位置にまで到達し、そのままハウス外に飛び出してしまうことがある。特に前記巻き上げ操作用棒体１０８の周辺では前記の隙間が大きくなっているために、前記隙間に入り込んだミツバチが防虫ネットの側端位置まで比較的容易に移動できることもあって、ハウス外への飛び出しを防止できないものであり、そのままでは前記のミツバチの使用が認可されないのが実情である。
【考案の概要】
【考案が解決しようとする課題】
【０００８】
本考案は、上記の問題を解決するためになしたものであり、巻き上げフィルムを備える開閉窓が設けられているハウス体の側面において、開閉窓の側端部においても良好な防虫効果を発揮できるとともに、特に授粉のためにハウス内に放蜂されたミツバチが開閉窓の側端部からハウス外へ飛び出すのを確実に防止できるようにした農業、園芸用ハウスを提供するものである。
【課題を解決するための手段】
【０００９】
上記の課題を解決する本考案は、骨組構造を外装フィルムで覆って構成されたハウス体の側面に、開閉用の巻き上げフィルムを備える開閉窓が設けられるとともに、該開閉窓の巻き上げフイルムより外側に該開閉窓を覆う防虫ネットが張設され、前記巻き上げフィルムの巻き上げ操作用棒体の端部が前記防虫ネットの側端より突出せしめられ、さらに前記開閉窓を備える側面の端部領域の内側から、これに隣接する側面の端部領域の内側に連続して固定張りフィルムが張設されてなる農業、園芸用ハウスにおいて、開閉窓を備える側面の端部領域には、幅方向の中央領域部分に上下方向に延びる開閉自在なファスナーが設けられ、かつ該ファスナー部分を境に折曲された補助のネット体が、前記ファスナー部分が防虫ネットの側端に沿って位置し、かつ該ネット体の一方側半部が前記固定張りフィルムと巻き上げフィルムとの間に挟まれ、他方側半部が前記防虫ネットの外側に重ねられて張設されており、前記巻き上げ操作用棒体の端部が前記ファスナーの部分で外方に突出せしめられてなることを特徴とする。
【００１０】
この農業、園芸用ネットによれば、前記のように開閉窓を備える側面の端部領域に設けられている補助のネット体は、その一方側半部が固定張りフィルムに殆ど隙間を生じないで接した状態になっており、ハウス内に放蜂されたミツバチが前記固定張りフィルムと前記ネット体の一方側半部との間に入り込むことはなく、この部分からハウス外に飛び出すおそれはない。また、仮に前記一方側半部と外側の防虫ネットとの間の巻き上げ操作用棒体による隙間に前記ミツバチが入り込んで、このミツバチが前記隙間を通って防虫ネットの側端位置に到達することがあっても、前記一方側半部にファスナー部分を介して連続している他方側半部が、防虫ネットの外側面に殆ど隙間を生じないで接した状態になっているため、前記ファスナーを閉じた状態に保持しておきさえすれば、前記ミツバチはハウス外へ飛び出すおそれなく保持される。もちろん外部からの害虫の侵入も防止できる。しかも、前記巻き上げ操作用棒体の端部が前記ネット体のファスナーの部分より外方に突出せしめられているため、該棒体による巻き上げフィルムの巻き上げ及び巻き下ろし操作を問題なく行える。
【００１１】
前記の農業、園芸用ハウスにおいて、前記ネット体のファスナーが、開閉方向を逆方向にした二つのスライダーにより開閉自在に設けられており、両スライダー間に前記巻き上げ操作用棒体を位置させて、両スライダーを近接させることにより棒体貫通部分以外を閉状態に保持できるように構成されてなるものとすることができる。この場合、前記巻き上げ操作用棒体の上下動を許容できて、しかも通常時は、該棒体の上下部のファスナーを閉状態に保持でき、放蜂した場合のミツバチの飛び出しを確実に防止できる。
【００１２】
特に、前記ファスナーの二つの両スライダーが、前記巻き上げ操作用棒体の貫通部分を挟んで連結されており、前記巻き上げ操作用棒体の上下動に伴って両スライダーが上下動するように設けられているのが好ましく、これにより、前記巻き上げ操作用棒体の貫通部分以外を常に閉状態に保持できる。
【００１３】
前記の農業、園芸用ハウスにおいて、前記ネット体の内側になる一方側半部の側端が、前記巻き上げフィルムより内側で骨組材に沿って上下方向に配された固定部材に固定されてなるものとすることができる。これにより、前記ネット体の一方側半部を安定性よく固定保持できる。
【００１４】
前記ネット体のファスナーは、ネット体に切離形成された開口縁部に取付用布帛を介して取着されてなり、この取付用布帛がハウス体の骨組構造の骨組材に沿って設けられてなるものが、該ネット体のファスナー部分を安定性よく保持でき好ましい。
【００１５】
前記の農業、園芸用ハウスにおいて、開閉窓がハウス体の長手方向側面に設けられ、固定張りフィルムが長手方向の側面の端部領域の内側から妻側の側面の端部領域の内側に連続して張設されているものとすることができる。
【考案の効果】
【００１６】
上記したように本考案の農業、園芸用ハウスによれば、巻き上げフィルムを備える開閉窓が設けられているハウス体の側面において、巻き上げ操作用棒体による巻き上げフィルムの巻き上げ及び巻き下ろしによる開閉窓の開閉操作を可能にして、しかも開閉窓の側端部において良好な防虫効果を発揮できるとともに、特に授粉のためにハウス内に放蜂されたミツバチが開閉窓の側端部からハウス外へ飛び出すのを確実に防止することができる。
【図面の簡単な説明】
【００１７】
【図１】本考案の農業、園芸用ハウスの概略を示す一部を切欠した斜視図である。
【図２】同上の一部の拡大斜視図である。
【図３】同上の一部の拡大斜視断面図である。
【図４】同上の一部の各フィルム及び各ネットの張設状態を示す略示断面図である。
【図５】従来の農業、園芸用ハウスの概略を示す一部を切欠した斜視図である。
【図６】同上の一部の各フィルム及び防虫ネットの張設状態を示す略示断面図である。
【考案を実施するための形態】
【００１８】
次に本考案の実施の形態を図面に示す実施例に基づいて説明する。
【００１９】
この農業、園芸用ハウスは、従来と同様に、長手方向の所要間隔おきに配されたパイプ材等よりなるアーチ材や縦材及び横材等の骨組材２により組み立てられた骨組構造を、ポリ塩化ビニルのフィルム（ビニールフィルムやシート）その他の合成樹脂フィルム材よりなる外装フィルム３で覆ってハウス体１が構成され、このハウス体１の側面、例えば長手方向側面４に、ハウス内の温度や湿度を調整するための換気構造としての開閉窓５が設けられてなる。
【００２０】
前記開閉窓５は、窓用の開口５ａより上のハウス体１の肩部に、アリ溝状の凹部を有するフレームとその内側に弾力的に嵌着される押圧部材とよりなる固定部材６が配置され、該固定部材６に固定されて窓用の開口５ａを遮蔽できる巻き上げフィルム７が設けられるとともに、該巻き上げフィルム７の下端がパイプ材等よりなる巻き上げ操作用棒体８に連結して巻き付けられてなり、前記巻き上げ操作用棒体８の回転操作によって前記巻き上げフィルム７を巻き上げ、あるいは巻き下げることにより、開閉窓５つまり窓用の開口５ａを開閉できるように構成されている。
【００２１】
図の場合、前記巻き上げ操作用棒体８は、ハウス体１の長手方向に延在して両端部８ａ，８ａがハウス体１の長手方向側面４の両端より突出し、該両端部８ａ，８ａがハウス体１の外方に立設されたガイド部材２０により上下動可能に支持されるとともに、該両端部８ａに取設されたハンドル等の操作部材９により回転操作できるように設けられており、該操作部材９による回転操作で上下動できるようになっている。
【００２２】
前記の開閉窓５には、前記巻き上げフィルム７の外側に、開閉窓５を開いたときの害虫等の侵入を防止するための防虫ネット１０が、その上下部が窓用の開口５ａより上側の前記固定部材６と、窓用の開口５ａより下方に設けられた、前記固定部材６と同構成の固定部材１１とにより固定されて、両側端部を開放させた状態で該開閉窓５の全体を覆うように張設されている。
【００２３】
前記巻き上げ操作用棒体８は、前記防虫ネット１０の内側にあって、その端部８ａが防虫ネット１０の開放状態の側端より外方に突出して前記のように巻き上げ及び巻き下ろし操作、及び上下動可能に設けられている。
【００２４】
さらに、前記ハウス体１の長手方向側面４と妻側の側面１２とが交差するハウスコーナー部の内側には、長手方向側面４の所要幅（例えば、０．５〜１．５ｍの幅）の端部領域から、これに隣接する妻側の側面１２の端部領域の内側にまでわたって連続して固定張りフィルム１３が張設されている。この固定張りフィルム１３も、主として上下部が前記上下の固定部材６、１１により固定されて張設されている。
【００２５】
本考案の場合は、上記の構成に加えて、前記開閉窓５を備える側面つまり長手方向側面４の端部領域には、後述のように幅方向の中央領域部分で折曲された形態の補助のネット体１５が、前記巻き上げフイルム７と防虫ネット１０の側端部を挟んで張設されている。
【００２６】
すなわち、前記ネット体１５は、幅方向の中央領域部分に上下方向に延びる開閉自在なファスナー１６が設けられ、かつ該ファスナー１６の部分を境にして二つ折状に折曲されており、図のように前記ファスナー１６の部分が防虫ネット１０の側端外方に沿って位置し、かつ該ネット体１５の一方側半部１５ａが、防虫ネット１０の内側で前記固定張りフィルム１３と巻き上げフィルム７との間に挟まれ、他方側半部１５ｂが前記防虫ネット１０の外側に重ねられて、その上下部がそれぞれ前記開口５ａより上の固定部材６と、前記開口５ａより下の固定部材１１に固定されて張設されている。前記巻き上げ操作用棒体８の端部８ａは、前記ファスナー１６の部分で外方に突出せしめられている。
【００２７】
前記ファスナー１６としては、巻き上げフィルム７の巻き上げ及び巻き下ろしのための巻き上げ操作用棒体８の回転操作時以外は、前記巻き上げ用棒体８の貫通部分を除いて閉状態に保持できるものであれば、どのような形態のものであってもよいが、実施上は、図のように、開閉方向を逆方向にした二つのスライダー１７、１７により開閉自在に設けられ、両スライダー１７、１７間に前記巻き上げ用棒体８を位置させて、両スライダー１７、１７を近接させることにより棒体貫通部分以外を閉状態に保持できるように構成されてなるものが特に好適に使用される。特に、前記ファスナー１６の二つの両スライダー１７，１７が、前記巻き上げ操作用棒体８の貫通部分を挟んで連結されて、前記棒体８の上下動に伴って両スライダー１７，１７が上下動するように設けられていると、巻き上げ操作用棒体８の貫通部分以外を常に閉状態に保持できることになる。
【００２８】
前記ファスナー１６は、ネット体１５に切離形成された開口縁部にネット体１５より保形強度のある織編布等の取付用布帛１８を介して取着されてなり、この取付用布帛１８がハウス体１の骨組構造の骨組材２に沿って設けられているのが好ましく、これにより、前記ネット体１５のファスナー１６の部分を安定性よく保持できることになる。
【００２９】
前記ネット体１５の内側になる一方側半部１５ａの側端は、必ずしも固定しておかなくてもよいが、図示する実施例の場合、前記巻き上げフィルム７より内側で骨組材２に沿って上下方向に配された固定部材１９に固定されており、前記ネット体１５の一方側半部１５ａを安定性のよい張設状態に保持できるようになっている。
【００３０】
なお、前記ネット体１５のファスナー１６は、少なくとも前記巻き上げ操作用棒体８が上下動する範囲を開閉できる長さ範囲に設けられる。好ましくは、該ファスナー１６の取付用布１８が上下の固定部材６、１１に固定される長さとする。
【００３１】
前記ネット体１５のファスナー１６を設ける幅方向の中央領域部分の位置は、前記一方側半部１５ａと他方側半部１５ｂの幅が同寸法になるセンター位置には限らず、中央領域部分の範囲内で前記センター位置から一方又は他方側にずれた位置にして、前記両半部１５ａ，１５ｂの幅に寸法差を設けて実施することもできる。
【００３２】
また、ハウス体１の妻側の側面１２に開閉窓を設ける場合も、該側面１２の端部領域に上記と同様に補助のネット体を配置して実施することができる。
【００３３】
上記したように、農業、園芸用ネットによれば、前記のように開閉窓５を備える側面の端部領域に設けられている補助のネット体１５は、その一方側半部１５ａが固定張りフィルム７に殆ど隙間を生じないで接した状態になっており、授粉のためにハウス内に放蜂されたミツバチが前記固定張りフィルム１３と前記ネット体１５の一方側半部１５ａとの間に入り込むことはなく、この部分からハウス外に飛び出すおそれはない。
【００３４】
また、仮に前記一方側半部１５ａと外側の防虫ネット１０との間の巻き上げ操作用棒体８による隙間Ｓに前記ミツバチが入り込んで、このミツバチが前記隙間Ｓを通って防虫ネット１０の側端位置に到達することがあっても、前記一方側半部１５ａにファスナー１６の部分を介して連続している他方側半部１５ｂが、防虫ネット１０の外側面に殆ど隙間を生じないで接した状態になっているため、前記ファスナー１６を閉じた状態に保持しておきさえすれば、前記ミツバチはハウス外へ飛び出すおそれなく保持される。もちろん、外部からの害虫の侵入も防止できる。しかも、前記巻き上げ操作用棒体８の端部８ａが前記ネット体１５のファスナー１６の部分より外方に突出せしめられているため、該棒体８による巻き上げフィルム７の巻き上げ及び巻き下ろし操作を問題なく行える。
【００３５】
特に、前記ファスナー１６が二つの両スライダー１７，１７を有するもので、両スライダー１７，１７が、前記巻き上げ操作用棒体８の貫通部分を挟んで連結されていると、前記棒体８の上下動に伴って両スライダー１７，１７が上下動することで、該ファスナー１６を常に閉状態に保持でき、巻き上げ操作用棒体８による開閉窓の開閉操作の際にも、ミツバチのハウス外への飛び出しを防止できる。
【産業上の利用可能性】
【００３６】
本考案のハウスは、農業用ハウスあるいは園芸用ハウスのほか、畜舎用ハウスにも利用できる。
【符号の説明】
【００３７】
１…ハウス体、２…骨組材、３…外装フィルム、４…長手方向側面、５…開閉窓、５ａ…窓用の開口、６…固定部材、７…巻き上げフィルム、８…巻き上げ操作用棒体、８ａ…端部、９…操作部材、１０…防虫ネット、１１…固定部材、１２…妻側の側面、１３…固定張りフィルム、１５…ネット体、１５ａ…一方側半部、１５ｂ…他方側半部、１６…ファスナー、１７…スライダー、１８…取付用布帛、１９…固定部材、２０…ガイド部材、Ｓ…隙間。
【図１】
0003168674.tif 000003
【図２】
0003168674.tif 000004
【図３】
0003168674.tif 000005
【図４】
0003168674.tif 000006
【図５】
0003168674.tif 000007
【図６】
0003168674.tif 000008